(57)【要約】【課題】  宝石の品質を容易に向上させるようにした指輪等の装身具を提供する。【解決手段】  装身具本体１１と、装身具本体に取り付けられる少なくとも一つの台座１２と、互いに離れた状態で前記台座に配置される第一の宝石１３及び第二の宝石１４と、有し、第一の宝石は透明材料から構成され、第二の宝石は有色材料から構成され、第一の宝石における第二の宝石に対向する面が平坦に形成されるように、装身具１０を構成する。【選択図】  図５
2012161564.tif 000002
【特許請求の範囲】
【請求項１】
装身具本体と、前記装身具本体に取り付けられる少なくとも一つの台座と、互いに離れた状態で前記台座に配置される第一の宝石及び第二の宝石と、有し、
前記第一の宝石は透明材料から構成され、前記第二の宝石は有色材料から構成され、
前記第一の宝石における前記第二の宝石に対向する面が平坦に形成されている、装身具。
【請求項２】
前記第一の宝石及び第二の宝石は、それぞれ中心軸に関して対称形であって、双方の中心軸が互いに重なるように配置されている、請求項１に記載の装身具。
【請求項３】
前記第一の宝石の底面の外径が、前記第二の宝石の外径より大きく形成されている、請求項１に記載の装身具。
【請求項４】
前記装身具が指輪であって、前記装身具本体が指を挿入すべき穴を備えた環状に形成されている、請求項１に記載の装身具。
【発明の詳細な説明】
【技術分野】
【０００１】
本発明は、宝石を備えた指輪等の装身具に関し、特に宝石の下方に別の宝石を配置した装身具に関するものである。
【背景技術】
【０００２】
従来、装身具として、ダイヤモンド等の宝石を用いた指輪，ペンダント，ピアス等の各種装身具が知られている。
このような装身具においては、装身具本体に取り付けられる宝石自体の品質、即ち色合い，透明度等を活かして、より良好な輝きを引き出すために、表面形状に関して、種々のカット面、例えばブリリアンカットを形成するようにしている。
【０００３】
しかしながら、このようなカット面を施した宝石では、宝石自体の品質によって、装身具全体の価値が決まってしまうと共に、宝石本来の品質以上の見栄えを実現することは不可能であった。
これに対して、宝石本来の品質以上の輝き，色合い等を実現するために、例えば特許文献１〜３による指輪や装身具が開示されている。
【０００４】
特許文献１には、透明または半透明の宝石と、この宝石の背面に配設された有色部材、例えば有色宝石とを備えていることを特徴とする宝石を用いた装飾品が開示されている。
この場合、有色宝石に設けた凹部に、宝石の尖った下端（所謂パビリオン）の先端部分を密着状態で嵌め込んで、二段重ねの状態で、宝石用指輪（装身具本体）に石留めすることにより構成されている。
【０００５】
このような構成の装飾品によれば、表面側（有色部材と反対側）から観察したとき、透明または半透明の宝石は、背面の有色部材の影響を受けた色合いとなって、宝石の色合いが補正される。これにより、透明または半透明の宝石として、カラーグレードの低い宝石を用いて、有色部材によりより高いカラーグレードの宝石と同様の色合いを合成することができる。例えば、透明または半透明の宝石として、ブラウン色系，イエロー色系の比較的高価ではないダイヤモンドを用いた場合に、有色部材の色を適宜に選択することによって、無色透明，ピンク色系，ブルー色系の比較的高価な天然ダイヤモンドと同様の見栄えに変更することができる。
【０００６】
特許文献２には、指を挿入する指輪本体と、この指輪本体に設けられたメイン宝石支持部と、このメイン宝石支持部に支持され、外面側及び内面側の両側より光が入射可能に支持された大粒のメイン宝石と、前記指輪本体に設けられ、且つ前記メイン宝石支持部の少なくとも真下を含む下方に配置されたサブ宝石支持部と、このサブ宝石支持部に支持された複数の小粒のサブ宝石とを備えたことを特徴とする指輪が開示されている。
【０００７】
このような構成の指輪によれば、メイン宝石に表面側から外光が入射すると共に、複数のサブ宝石からの各反射光がメイン宝石の裏面側からそれぞれ入射し、メイン宝石が本来の輝き以上に輝くことになる。また、鑑賞者にはメイン宝石のみならず複数のサブ宝石も見えるので、サブ宝石自体にも装飾機能があると共に、複数のサブ宝石は小粒な宝石で足りる。
【０００８】
特許文献３には、貴金属製の指輪本体と、指輪本体に設けられ、複数本の環状に立ち上がった爪状部分から成る石座と、この石座の先端付近に支持されたセンターダイヤと、石座の各爪状部分の根元付近でセンターダイヤの下方に支持されたメレダイヤと、から成る所謂立爪型の指輪の意匠が開示されている。
この指輪においては、石座の各爪状部分の内側面が、研磨されており、メレダイヤからの反射光を上方（センターダイヤの方向）に向かって反射させるように形成されている。これにより、センターダイヤの下方に配置されたメレダイヤの輝きが石座の各爪状部分の内側面に導かれ、センターダイヤの下方で石座部分が明るく輝くように構成されている。
【先行技術文献】
【特許文献】
【０００９】
【特許文献１】特開平０７-２８４４０６号公報
【特許文献２】特開２００４−１０５５９８号公報
【特許文献３】意匠登録第１３８３５６７号公報
【発明の概要】
【発明が解決しようとする課題】
【００１０】
しかしながら、特許文献１〜３においては、表面側に位置する宝石は、いずれも尖った下端を備えており、下方に位置する宝石（有色宝石，サブ宝石及びメレダイヤ）のカット面による形状を観察することは困難である。
【００１１】
特に、特許文献１の指輪においては、下方の宝石からの反射光を上方の宝石内に導入することによって、上方の宝石に関する色合いが変化することを目的としており、上方の宝石本来の輝きや見栄えを向上させるものではない。
【００１２】
また、特許文献２の指輪においては、複数個のサブ宝石のうち、一個または数個のサブ宝石のみからの光をメイン宝石に入射させることにより、メイン宝石を本来の輝き以上に輝かせる。従って、サブ宝石は、その殆どのものが外部から直接に観察されることにより、指輪全体の装飾性に寄与し、豪華な見栄えを提供するものである。
【００１３】
さらに、特許文献３の指輪においては、下方の宝石（メレダイヤ）の輝きが石座の各爪状部分の内側面に入射して、これらの各爪状部分の内側面が明るく輝くようになっており、各爪状部分の内側面で反射した光の一部がセンターダイヤに入射するものの、センターダイヤの輝きを変化させるほどではない。
【００１４】
本発明は、以上の点に鑑み、宝石の品質を容易に向上させるようにした指輪等の装身具を提供することを目的としている。
【課題を解決するための手段】
【００１５】
上記目的は、本発明によれば、装身具本体と、装身具本体に取り付けられる少なくとも一つの台座と、互いに離れた状態で台座に配置される第一の宝石及び第二の宝石と、有し、第一の宝石は透明材料から構成され、第二の宝石は有色材料から構成され、第一の宝石における第二の宝石に対向する面が平坦に形成されている、装身具により、達成される。
【００１６】
本発明による装身具は、好ましくは、第一の宝石及び第二の宝石は、それぞれ中心軸に関して対称形であって、双方の中心軸が互いに重なるように配置されている。
【００１７】
本発明による装身具は、好ましくは、第一の宝石の底面の外径が、第二の宝石の外径より大きく形成されている。
【００１８】
本発明による装身具は、好ましくは、装身具が指輪であって、装身具本体が指を挿入すべき穴を備えた環状に形成されている。
【発明の効果】
【００１９】
上記構成によれば、第二の宝石からの光が、第一の宝石内に入射し、直接にまたは第一の宝石の内面で全反射した後第一の宝石の表側から出射する。ここで、第二の宝石からの光が第一の宝石の平坦面から入射するので、第一の宝石を表側から観察したとき、第一の宝石の裏側の平坦面を介して第二の宝石のカット面が見える。従って、第一の宝石の表側のカット面による輝きだけでなく、第二の宝石のカット面による輝きも観察され得るので、第一の宝石単体の輝き以上の輝きが得られ、装身具全体の見栄えが向上する。
【００２０】
第一の宝石及び第二の宝石が、中心軸に関して対称形であって、双方の中心軸が互いに重なるように配置されている場合には、第一の宝石のカット面と第二の宝石のカット面が、一つの宝石のカット面のように作用して、より複雑な輝きが実現され得る。
【００２１】
第一の宝石の底面の外径が第二の宝石の外径より大きく形成されている場合には、表側から第一の宝石を観察したとき、広い角度範囲において第一の宝石の裏側に位置する第二の宝石のカット面による輝きを視認することができる。
【００２２】
装身具が指輪であって、装身具本体が指を挿入すべき穴を備えた環状に形成されている場合には、表側に位置する第一の宝石が本来の輝き以上に輝いて視認され得る。
【００２３】
このようにして、本発明によれば、第一の宝石の平坦な裏面に対向して第二の宝石を配置することによって、簡単な構成により宝石の品質を容易に向上させる装身具を提供することができる。
【図面の簡単な説明】
【００２４】
【図１】本発明を適用した指輪の第一の実施形態の構成を示す正面図である。
【図２】図１の指輪を示す左側面図である。
【図３】図１の指輪を示す平面図である。
【図４】図１の指輪を示す底面図である。
【図５】図１の指輪を示す一部破断正面図である。
【図６】図１の指輪を示す斜視図である。
【図７】図１の指輪における第一の宝石及び第二の宝石を除去した状態の正面図である。
【図８】図７の指輪を示す平面図である。
【図９】図１の指輪における第一の宝石と第二の宝石の関係を示す拡大正面図である。
【図１０】図１の指輪における第一の宝石と第二の宝石の関係を示す拡大平面図である。
【図１１】本発明を適用した指輪の第二の実施形態の構成を示す正面図である。
【図１２】図１１の指輪を示す左側面図である。
【図１３】図１１の指輪を示す平面図である。
【図１４】図１１の指輪を示す底面図である。
【図１５】図１１の指輪を示す一部破断正面図である。
【図１６】本発明を適用したピアスの第一の実施形態の構成を示す正面図である。
【図１７】図１６のピアスを示す平面図である。
【図１８】図１６のピアスを示す左側面図である。
【図１９】図１６のピアスを示す底面図である。
【図２０】図１６のピアスの留め具取り外し状態を示す正面図である。
【図２１】図１６のピアスの要部を示す一部破断正面図である。
【図２２】本発明を適用したピアスの第二の実施形態の構成を示す正面図である。
【図２３】図２２のピアスを示す平面図である。
【図２４】図２２のピアスを示す左側面図である。
【図２５】図２２のピアスを示す底面図である。
【図２６】図２２のピアスの留め具取り外し状態を示す正面図である。
【図２７】図２２のピアスの要部を示す一部破断正面図である。
【図２８】本発明を適用したペンダントの第一の実施形態の構成を示す正面図である。
【図２９】図２８のペンダントを示す左側面図である。
【図３０】図２８のペンダントを示す平面図である。
【図３１】図２８のペンダントを示す底面図である。
【図３２】図２８のペンダントを示す一部破断正面図である。
【図３３】図２８のペンダントの使用状態を示す正面図である。
【図３４】本発明を適用したペンダントの第二の実施形態の構成を示す正面図である。
【図３５】図３４のペンダントを示す左側面図である。
【図３６】図３４のペンダントを示す平面図である。
【図３７】図３４のペンダントを示す底面図である。
【図３８】図３４のペンダントを示す一部破断正面図である。
【図３９】図３４のペンダントの使用状態を示す正面図である。
【図４０】本発明を適用したペンダントの第三の実施形態の構成を示す正面図である。
【図４１】図４０のペンダントを示す左側面図である。
【図４２】図４０のペンダントを示す平面図である。
【図４３】図４０のペンダントを示す背面図である。
【図４４】図４０のペンダントを示す底面図である。
【図４５】図４０のペンダントを示す一部破断左側面図である。
【図４６】図４０のペンダントの使用状態を示す正面図である。
【図４７】本発明を適用したペンダントの第四の実施形態の構成を示す正面図である。
【図４８】図４７のペンダントを示す左側面図である。
【図４９】図４７のペンダントを示す平面図である。
【図５０】図４７のペンダントを示す背面図である。
【図５１】図４７のペンダントを示す底面図である。
【図５２】図４７のペンダントを示す一部破断左側面図である。
【図５３】図４７のペンダントの使用状態を示す正面図である。
【発明を実施するための形態】
【００２５】
図１から図６は、本発明を適用した指輪の第一の実施形態の構成を示している。
図１から図６に示すように、指輪１０は、指輪本体１１と、指輪本体１１の一側（図示の場合、上側）に設けられた台座１２と、台座１２に支持された第一の宝石１３及び第二の宝石１４と、から構成されている。
【００２６】
指輪本体１１は、公知の構成であって、使用者の指を挿入すべき穴１１ａを備えるように環状に形成されており、プラチナ等の貴金属や他の金属から構成されている。
【００２７】
台座１２は、図７に示すように、指輪本体１１と一体に構成されており、例えば指輪本体１１と同じ材料から構成されている。
尚、台座１２は、指輪本体１１と別体に構成され、指輪本体１１に対して一体的に固定されていてもよい。
【００２８】
台座１２は、指輪本体１１の周縁から外側上方に延びる複数本（図示の場合、六本）の爪状部分１２ａを有している。これらの爪状部分１２ａは、台座１２の中心軸に関して環状に等角度間隔に配置されており、それぞれ先端が互いに徐々に離れるように上方に向かって放射状に延びている。
各爪状部分１２ａは、その先端付近内側に、それぞれ第一の宝石１３を支持すべき第一の支持部１２ｂを備えている。
【００２９】
台座１２は、その指輪本体１１に隣接する各爪状部分１２ａの根元部分に、図８に示すように、第二の宝石１４を支持すべき第二の支持部１２ｃを備えている。
【００３０】
第一の宝石１３は、透明材料、例えばダイヤモンドにより中心軸１３ａに関して対称形として構成されている。
具体的には、第一の宝石１３は、図９及び図１０に示すように、上側が全体として凸面状に配置された複数個のカット面１３ｂにより形成されると共に、下側が平坦なカット面１３ｃにより形成されている。
そして、第一の宝石１３は、上述した台座１２の各爪状部分１２ａの先端付近内側に設けられた第一の支持部１２ｂにより挟持され固定保持されている。
【００３１】
また、第二の宝石１４は、有色材料により中心軸１４ａに関して対称形として構成されている。
具体的には、第二の宝石１４は、上側が中心の平坦面１４ｂ及びその周囲のカット面１４ｃにより形成されると共に、下側が下方に向かって尖った所謂パビリオン１４ｄとして形成されている。
そして、第二の宝石１４は、上述した台座１２の根元部分に設けられた第二の支持部１２ｃに嵌め込まれ、固定保持されている。
ここで、第一の宝石１３及び第二の宝石１４は、これらの中心軸１３ａ，１４ａが互いに一致するように配置されている。
【００３２】
尚、上述した指輪１０に関して、背面図及び右側面図は、それぞれ図１の正面図及び図２の左側面図と左右対称である。
【００３３】
本発明による指輪１０は、以上のように構成されており、指輪１０を上方から観察した場合、外部から第二の宝石１４内に入射した光は、第二の宝石１４の内部で内面反射して、第二の宝石１４の上側の平坦面１４ｂ及びカット面１４ｃから上方に向かって出射する。このとき、第二の宝石１４は、上側の平坦面１４ｂ及びカット面１４ｃと下方に備えられたパビリオン１４ｄにおける内面反射により、従来のパビリオンを備えた宝石と同様の輝きを生成する。
【００３４】
第二の宝石１４から上方に向かって出射した光は、第一の宝石１３の下側の平坦なカット面１３ｃから第一の宝石１３内に入射し、第一の宝石１３の内部で内面反射して、第一の宝石１３の上側のカット面１３ｂから上方に向かって出射する。
このとき、第一の宝石１３の上側のカット面１３ｂと下側の平坦面１３ｃにおける内面反射により、輝きを生成する。
【００３５】
この場合、第一の宝石１３の下側のカット面１３ｃから第一の宝石１３内に入射する光は、第二の宝石１４の上側の平坦面１４ｂ及びカット面１４ｃによる輝きを付与されている。これにより、第一の宝石１３の上側のカット面１３ｂから上方に出射する光は、第一の宝石１３による輝きに加えて、入射光に付与された第二の宝石１４による輝きを備えることになる。
従って、第一の宝石１３の上側のカット面１３ｂから上方に出射する光は、第一の宝石１３単体による輝き以上の輝きを備えるので、指輪の見栄えが向上する。
さらに、第二の宝石１４から出射する光は、第二の宝石１４を構成する有色材料によって着色されるので、第一の宝石１３から出射する光も、第二の宝石１４からの有色光により着色されることになり、第一の宝石１３単体では得られない有色光が出射することになる。
【００３６】
さらに、第一の宝石１３の下側の平坦面１３ｃは、その直下に配置される第二の宝石１４の外縁に対して中心軸１３ａ，１４ａから半径方向外側に張り出しているので、第二の宝石１４から上側にやや拡散して出射する光が、効率良く第一の宝石１３の下側の平坦面１３ｂに入射する。
従って、上方から観察したとき、中心軸１３ａから広い角度範囲に亘って、第一の宝石１３を介して第二の宝石１４による輝きを視認することができる。
【００３７】
図１１から図１５は、本発明を適用した指輪の第二の実施形態の構成を示している。
図１１から図１５において、指輪２０は、図１から図６に示した指輪１０とほぼ同様の構成であるので、同じ構成要素には同じ符号を付して、その説明を省略する。
指輪２０は、図１から図６に示した指輪１０と比較して、第二の宝石１４の代わりに、第二の宝石２１を備える点でのみ異なる構成になっている。
【００３８】
第二の宝石２１は、前述した第二の宝石１４と同様に、有色材料により中心軸２１ａに関して対称形として構成されている。
具体的には、第二の宝石２１は、第一の宝石１３と同様に、上側が全体として凸面状に配置された複数個のカット面２１ｂによって、また下側が平坦なカット面２１ｃによって、第一の宝石１３よりも小さく形成されている。
そして、第二の宝石２１は、上述した台座１２の根元部分に設けられた第二の支持部１２ｃに嵌め込まれ、固定保持されている。
ここで、第一の宝石１３及び第二の宝石２１は、これらの中心軸１３ａ，２１ａが互いに一致するように配置されている。
【００３９】
尚、上述した指輪２０に関して、背面図，右側面図は、それぞれ図１１の正面図及び図１２の左側面図と同じである。
【００４０】
このような構成の指輪２０によれば、図１から図６に示した指輪１０と同様に作用して、第一の宝石１３の裏側に配置された第二の宝石１４による輝きによって、第一の宝石１３単体の輝き以上の輝きが得られる。
この場合、第二の宝石２１は、第一の宝石１３と同じ研磨工程によって形成されると共に、指輪１０における第二の宝石１４のようなパビリオン１４ｄを備えておらず、中心軸方向に薄型に形成される。従って、第二の宝石２１の材料コスト及び加工コストが少なくて済むことになる。
【００４１】
図１６から図２１は、本発明を適用したピアスの第一の実施形態の構成を示している。
図１６から図２１に示すように、ピアス３０は、ピアス本体３１と、ピアス本体３１の一側（図示の場合、上側）に設けられた台座３２と、台座３２に支持された第一の宝石３３及び第二の宝石３４と、留め具３５と、から構成されている。
【００４２】
ピアス本体３１は、公知の構成であって、使用者の身体の一部、例えば耳たぶ等に設けられた貫通穴に挿通されるように棒状に形成されており、プラチナ等の貴金属や他の金属から構成されている。
【００４３】
台座３２は、ピアス本体３１と一体に構成されており、ピアス本体３１と同じ材料から構成されている。
尚、台座３２は、ピアス本体３１と別体に構成され、ピアス本体３１に対して一体的に固定されていてもよい。
【００４４】
ここで、台座３２，第一の宝石３３及び第二の宝石３４は、図１から図６に示した指輪における台座１２，第一の宝石１３及び第二の宝石１４と同様の構成であるので、詳細な説明は省略する。
第一の宝石３３及び第二の宝石３４は、台座３２に対して、中心軸が互いに一致し、且つ互いに中心軸方向に離反するように配置され、それぞれ爪状部分３２ａ先端内側に設けられた第一の支持部３２ｂ，根元部分に設けられた第二の支持部３２ｃに固定されている。
【００４５】
留め具３５は、弾性材料から構成されており、中央の平坦部３５ａと、この平坦部３５ａから両側に延びて湾曲したバネ部３５ｂ，３５ｃと、から構成されている。
平坦部３５ａは、中心に貫通穴３５ｄを備えており、この貫通穴３５ｄ内に、ピアス本体３１が挿通され得る。
バネ部３５ｂ，３５ｃは、平坦部３５ａの貫通穴３５ｄ内にピアス本体３１が挿通された状態で、ピアス本体３１を両側から挟持する。これにより、留め具３５は、ピアス本体３１の軸方向に移動しないように保持される。
さらに、留め具３５は、バネ部３５ｂ，３５ｃの張力に抗してピアス本体３１に沿って摺動させることにより、図２０に示すように、ピアス本体３１から取り外すことができる。
【００４６】
尚、上述したピアス３０に関して、背面図，右側面図は、それぞれ図１６の正面図及び図１８の左側面図と同じである。
【００４７】
このような構成のピアス３０によれば、使用の際には、図２０に示すように、ピアス本体３１から留め具３５を取り外しておき、ピアス本体３１を使用者の身体の一部に設けられた貫通穴に挿通する。この状態から、ピアス本体３１の台座３２とは反対側から留め具３５を装着する。これにより、ピアス本体３１は、一側が台座３２により、また他側が留め具３５により使用者の身体の一部に設けられた貫通穴を両側から挟持する。従って、ピアス３０が使用者の身体の一部に保持されることになる。
【００４８】
このようにして使用者の身体の一部に装着されたピアス３０においては、図１から図６に示した指輪１０における第一の宝石１３及び第二の宝石１４と同様に、第二の宝石３４に対して外部から入射した光が、第二の宝石３４内で内面反射して、上側の平坦面及びカット面と下方に備えられたパビリオンにおける内面反射によって、従来のパビリオンを備えた宝石と同様の輝きを生成しながら、第二の宝石３４の上側の平坦面及びカット面から上方に向かって出射する。
【００４９】
第二の宝石３４から上方に向かって出射した光は、第一の宝石３３の下側の平坦なカット面から第一の宝石３３内に入射し、第一の宝石３３の内部で内面反射して、第一の宝石３３の上側のカット面から上方に向かって出射する。
このとき、第一の宝石３３への入射光が既に第二の宝石３４により輝きを付与されていると共に、第一の宝石３３の上側のカット面と下側の平坦面における内面反射により、輝きを生成するので、第一の宝石３３単体による輝き以上の輝きを備えることになる。
従って、ピアス３０の見栄えが向上すると共に、第二の宝石３４からの有色光によって、第一の宝石１３からの出射光が着色されることになる。
【００５０】
図２２から図２８は、本発明を適用したピアスの第二の実施形態の構成を示している。
図２２から図２８において、ピアス４０は、図１６から図２１に示したピアス３０とほぼ同様の構成であるので、同じ構成要素には同じ符号を付して、その説明を省略する。
ピアス４０は、図１６から図２１に示したピアス３０と比較して、第二の宝石３４の代わりに、第二の宝石４１を備える点でのみ異なる構成になっている。
【００５１】
第二の宝石４１は、前述した第二の宝石３４と同様に、有色材料により中心軸４１ａに関して対称形として構成されている。
具体的には、第二の宝石４１は、第一の宝石３３と同様に、上側が全体として凸面状に配置された複数個のカット面４１ｂによって、また下側が平坦なカット面４１ｃによって、第一の宝石３３よりも小さく形成されている。
そして、第二の宝石４１は、上述した台座３２の根元部分に設けられた第二の支持部３２ｃに嵌め込まれ、固定保持されている。
ここで、第一の宝石３３及び第二の宝石４１は、これらの中心軸３３ａ，４１ａが互いに一致するように配置されている。
【００５２】
尚、上述したピアス４０に関して、背面図，右側面図は、それぞれ図２２の正面図及び図２４の左側面図と同じである。
【００５３】
このような構成のピアス４０によれば、図１６から図２１に示したピアス３０と同様に作用して、第一の宝石３３の裏側に配置された第二の宝石４１による輝きによって、第一の宝石３３単体の輝き以上の輝きが得られる。
【００５４】
図２８から図３３は、本発明を適用したペンダントの第一の実施形態の構成を示している。
図２８から図３１に示すように、ペンダント５０は、所謂ペンダントトップとして構成されており、ペンダント本体５１と一化された台座５２と、台座５２に支持された第一の宝石５３及び第二の宝石５４と、から構成されている。
【００５５】
台座５２は、プラチナ等の貴金属や他の金属から構成されており、ベース部分の周縁から外側下方に延びる複数本（図示の場合、六本）の爪状部分５２ａを有している。これらの爪状部分５２ａは、台座５２の中心軸に関して環状に等角度間隔に配置されており、それぞれ先端が互いに徐々に離れるように下方に向かって放射状に延びている。
各爪状部分５２ａは、その先端付近内側に、それぞれ第一の宝石５３を支持すべき第一の支持部５２ｂを備えている。
【００５６】
台座５２は、ベース部下面の隣接する各爪状部分５２ａの根元部分に、第二の宝石５４を支持すべき第二の支持部５２ｃを備えている。
【００５７】
さらに、台座５２は、図３３に示すチェーン５５が取り付けられるべき吊り部５２ｄを備えている。これにより、吊り部５２ｄにチェーン５５が挿通され、あるいはチェーン５５の端部に設けられた金具（図示せず）が吊り部５２ｄに取り付けられることにより、図３３に示すように、ペンダント５０にチェーン５５が一体化される。
【００５８】
第一の宝石５３及び第二の宝石５４は、図１から図６に示した指輪１０における第一の宝石１３及び第二の宝石１４と同じ構成であり、上下反転して配置されている。
【００５９】
尚、上述したペンダント５０に関して、背面図及び右側面図は、それぞれ図２８の正面図及び図２９の左側面図と同じである。
【００６０】
このような構成のペンダント５０によれば、使用の際には、図３３に示すようにペンダント５０に装着されたチェーン５５が使用者の首に回されることにより、ペンダント５０は使用者の胸元に位置する。
そして、第二の宝石５４に対して外部から入射した光が、第二の宝石５４のカット面やパビリオンで内面反射した後、下方に出射して第一の宝石５３内に入射する。
これにより、第二の宝石３４により輝きを付与された入射光が、さらに第一の宝石５３内でカット面により輝きを付与されて、下方に向かって出射する。
従って、ペンダント５０の見栄えが向上すると共に、第二の宝石５４からの有色光によって、第一の宝石５３からの出射光が着色されることになる。
【００６１】
図３４から図３９は、本発明を適用したペンダントの第二の実施形態の構成を示している。
図３４から図３７に示すように、ペンダント６０は、図２８から図３３に示したペンダント５０とほぼ同様の構成であるので、同じ構成要素には同じ符号を付して、その説明を省略する。
ペンダント６０は、図２８から図３３に示したペンダント５０と比較して、第二の宝石５４の代わりに、第二の宝石６１を備えている点でのみ異なる構成になっている。
【００６２】
第二の宝石６１は、第二の宝石５４及び１４と同様に、有色材料により中心軸６１ａに関して対称形として構成されている。
具体的には、第二の宝石６１は、第一の宝石５３と同様に、下側が全体として凸面状に配置された複数個のカット面６１ｂによって、また上側が平坦なカット面６１ｃによって、第一の宝石５３よりも小さく形成されている。
そして、第二の宝石６１は、上述した台座５２の根元部分に設けられた第二の支持部５２ｃに嵌め込まれ、固定保持されている。
ここで、第一の宝石５３及び第二の宝石６１は、これらの中心軸５３ａ，６１ａが互いに一致するように配置されている。
【００６３】
尚、上述したペンダント６０に関して、背面図，右側面図は、それぞれ図３４の正面図及び図３５の左側面図と同じである。
【００６４】
このような構成のペンダント６０によれば、図３９に示すように使用することにより、図２８から図３１に示したペンダント５０と同様に作用して、第一の宝石５３の裏側に配置された第二の宝石６１による輝きによって、第一の宝石５３単体の輝き以上の輝きが得られる。
【００６５】
図４０から図４６は、本発明を適用したペンダントの第三の実施形態の構成を示している。
図４０から図４４において、ペンダント７０は、図２８から図３３に示したペンダント５０とほぼ同様の構成であるので、同じ構成要素には同じ符号を付して、その説明を省略する。
ペンダント６０は、図２８から図３３に示したペンダント５０と比較して、台座５２の吊り部５２ｄの代わりに、吊り部５２ｅを備えている。
即ち、吊り部５２ｄは、台座５２のベース部分の上面ではなく、側方に偏って配置されている。より具体的には、吊り部５２ｄは、ペンダント７０の重心を通り且つ台座５２の中心軸に垂直な面内に配置されている。
これにより、吊り部５２ｄにおいてチェーン５５から吊り下げられたペンダント７０は、図示のように、台座５２が横向きで安定して支持されることになる。
【００６６】
尚、上述したペンダント７０に関して、右側面図は、図４１の左側面図と左右対称である。
【００６７】
このような構成のペンダント７０によれば、図４６に示すように使用することにより、図２８から図３１に示したペンダント５０と同様に作用して、第一の宝石５３の裏側に配置された第二の宝石６１による輝きによって、第一の宝石５３単体の輝き以上の輝きが得られる。
この場合、台座５２が横向きに吊り下げられることによって、第一の宝石５３が正面を向くことにより、より視認されやすくなり、第一の宝石５３単体の輝き以上の輝きがより一層視認され、見栄えが良くなる。
【００６８】
図４７から図５３は、本発明を適用したペンダントの第四の実施形態の構成を示している。
図４７から図５１において、ペンダント８０は、図３４から図３９に示したペンダント６０とほぼ同様の構成であるので、同じ構成要素には同じ符号を付して、その説明を省略する。
ペンダント８０は、図３４から図３９に示したペンダント６０と比較して、台座５２の吊り部５２ｄの位置が異なっている。
即ち、吊り部５２ｄは、台座５２のベース部分の上面ではなく、側方に偏って配置されている。より具体的には、吊り部５２ｄは、ペンダント８０の重心を通り且つ台座５２の中心軸に垂直な面内に配置されている。
これにより、吊り部５２ｄにおいてチェーン５５から吊り下げられたペンダント８０は、図示のように、台座５２が横向きで安定して支持されることになる。
【００６９】
尚、上述したペンダント８０に関して、右側面図は、図４８の左側面図と左右対称である。
【００７０】
このような構成のペンダント８０によれば、図５３に示すように使用することにより、図３４から図３９に示したペンダント６０と同様に作用して、第一の宝石５３の裏側に配置された第二の宝石６１による輝きによって、第一の宝石５３単体の輝き以上の輝きが得られる。
この場合、台座５２が横向きに吊り下げられることによって、第一の宝石５３が正面を向くことにより、より視認されやすくなり、第一の宝石５３単体の輝き以上の輝きがより一層視認され、見栄えが良くなる。
【産業上の利用可能性】
【００７１】
本発明はその趣旨を逸脱しない範囲において様々な形態で実施することができる。
例えば、上述した実施形態においては、第一の宝石及び第二の宝石は、対応する各カット面が中心軸に対して等距離に配置されているが、これに限らず、例えば中心軸に垂直な一方向に細長い周面に沿って配置されていてもよい。
【００７２】
上述した実施形態においては、第一の宝石は、上側がカット面により全体として凸状に形成されているが、これに限らず、球面または回転楕円面の一部として形成されていてもよい。
【００７３】
上述した実施形態においては、第一の宝石及び第二の宝石は、それぞれ透明材料及び有色材料から構成されているが、これに限らず、それぞれガラス，プラスチック等から構成されていてもよい。
【００７４】
上述した実施形態においては、装身具としての指輪，ピアス及びペンダントに関して、それぞれただ一つの台座が設けられ、この台座に対して一対の第一の宝石及び第二の宝石が取り付けられているが、これに限らず、一つの装身具の本体に対して複数個の台座が設けられ、各台座にそれぞれ一対の第一の宝石及び第二の宝石が保持されていてもよいことは明らかである。
【００７５】
上述した実施形態においては、本発明を指輪，ピアス，ペンダントに適用した場合について説明したが、これに限らず、他の装身具、例えばネックレス，ブレスレット等や宝飾時計等の各種宝飾品等に本発明を適用し得ることは明らかである。
【００７６】
上述したように、本発明によれば、宝石の品質を容易に向上させるようにした、極めて優れた指輪等の装身具が提供される。
【符号の説明】
【００７７】
１０，２０    指輪
１１    指輪本体
１２    台座
１３    第一の宝石
１４，２１    第二の宝石
３０，４０    ピアス
３１    ピアス本体
３２    台座
３３    第一の宝石
３４，４１    第二の宝石
５０，６０，７０，８０    ペンダント
５１    ペンダント本体
５２    台座
５３    第一の宝石
５４，６１    第二の宝石
５５    チェーン
【図１】
2012161564.tif 000003
【図２】
2012161564.tif 000004
【図３】
2012161564.tif 000005
【図４】
2012161564.tif 000006
【図５】
2012161564.tif 000007
【図６】
2012161564.tif 000008
【図７】
2012161564.tif 000009
【図８】
2012161564.tif 000010
【図９】
2012161564.tif 000011
【図１０】
2012161564.tif 000012
【図１１】
2012161564.tif 000013
【図１２】
2012161564.tif 000014
【図１３】
2012161564.tif 000015
【図１４】
2012161564.tif 000016
【図１５】
2012161564.tif 000017
【図１６】
2012161564.tif 000018
【図１７】
2012161564.tif 000019
【図１８】
2012161564.tif 000020
【図１９】
2012161564.tif 000021
【図２０】
2012161564.tif 000022
【図２１】
2012161564.tif 000023
【図２２】
2012161564.tif 000024
【図２３】
2012161564.tif 000025
【図２４】
2012161564.tif 000026
【図２５】
2012161564.tif 000027
【図２６】
2012161564.tif 000028
【図２７】
2012161564.tif 000029
【図２８】
2012161564.tif 000030
【図２９】
2012161564.tif 000031
【図３０】
2012161564.tif 000032
【図３１】
2012161564.tif 000033
【図３２】
2012161564.tif 000034
【図３３】
2012161564.tif 000035
【図３４】
2012161564.tif 000036
【図３５】
2012161564.tif 000037
【図３６】
2012161564.tif 000038
【図３７】
2012161564.tif 000039
【図３８】
2012161564.tif 000040
【図３９】
2012161564.tif 000041
【図４０】
2012161564.tif 000042
【図４１】
2012161564.tif 000043
【図４２】
2012161564.tif 000044
【図４３】
2012161564.tif 000045
【図４４】
2012161564.tif 000046
【図４５】
2012161564.tif 000047
【図４６】
2012161564.tif 000048
【図４７】
2012161564.tif 000049
【図４８】
2012161564.tif 000050
【図４９】
2012161564.tif 000051
【図５０】
2012161564.tif 000052
【図５１】
2012161564.tif 000053
【図５２】
2012161564.tif 000054
【図５３】
2012161564.tif 000055